(57)【要約】      （修正有）【課題】落下等によって衝撃が加えられても変形等のトラブルが発生し難い、耐衝撃性に優れた記録テープカートリッジの提供。【解決手段】単一のリール１８を回転可能に収容するケース１２の前壁１２Ａと側壁１２Ｂとに跨るコーナー部１２Ｃに形成され、リーダー部材２２を引き出すための開口２０と、開口２０を開閉する平面視略「Ｌ」字状に屈曲されたドア３０とを備えた記録テープカートリッジ１０において、ドア３０の屈曲部４４の回動方向における板厚Ｄ１をドア３０の板厚Ｄ２よりも厚く形成するとともに、屈曲部４４よりも先端側に段部５２を形成し、ドア３０が開口２０を閉塞したときに当接する第１当接部５６Ａ、６２Ａと、開口２０を閉塞したドア３０が開口２０の閉塞方向へ撓んだときに、ドア３０の屈曲部４４の先端側端面４４Ａと内面４４Ｂが当接する第２当接部とをケース１２に形成する。【選択図】      図３
2005235370.tif 000002
【特許請求の範囲】
【請求項１】
記録テープが巻装された単一のリールを回転可能に収容するケースと、
前記ケースの前壁と側壁とに跨るコーナー部に形成され、前記記録テープの端部に取り付けられたリーダー部材を引き出すための開口と、
前記前壁側に設けられた支軸を中心に回動して前記開口を開閉する平面視略「Ｌ」字状に屈曲されたドアと、
を備え、
前記ドアの屈曲部の前記回動方向における板厚を該ドアの板厚よりも厚く形成するとともに、該屈曲部よりも先端側に段部を形成し、
前記ドアが前記開口を閉塞したときに当接する第１当接部と、
前記開口を閉塞したドアが該開口の閉塞方向へ撓んだときに、該ドアの屈曲部の先端側端面と内面が当接する第２当接部と、
を前記ケースに形成したことを特徴とする記録テープカートリッジ。
【請求項２】
前記第１当接部に当接させる部位が、前記ドアの段部の先端側端面であり、該段部の先端側端面と前記屈曲部の先端側端面とを、平面視で外側が幅広となる略「ハ」字状に形成したことを特徴とする請求項１に記載の記録テープカートリッジ。
【発明の詳細な説明】
【技術分野】
【０００１】
本発明は、主にコンピューター等の記録再生媒体として使用される磁気テープ等の記録テープが巻装された単一のリールをケース内に収容してなる記録テープカートリッジに関する。
【背景技術】
【０００２】
従来から、コンピューター等のデータ記録再生媒体として使用されている磁気テープ等の記録テープを単一のリールに巻装し、そのリールをケース内に回転可能に収容してなる記録テープカートリッジが知られている。この記録テープカートリッジのケースは、略トレイ状の上ケースと下ケースとが、互いの周壁を当接させた状態で接合されてなる略矩形箱状に形成されている。
【０００３】
また、このような記録テープカートリッジにあっては、記録テープの端部に、リーダーテープ、リーダーピン、リーダーブロック等のリーダー部材が固着されている。そして、このリーダー部材をドライブ装置の引出部材（図示省略）が引き出すことにより、記録テープがケース内から引き出されるようになっている。
【０００４】
このドライブ装置の引出部材は、記録テープカートリッジを装填する装填口の側部に設けられることが多く、そのため、記録テープカートリッジのリーダー部材（記録テープ）引出用の開口は、ケースのコーナー部に形成されることが多い。また、そのコーナー部に開口が無くても、その開口を開閉するドアの支軸等、記録テープカートリッジの機能上重要な部位が、そのコーナー部に存在していることがある（例えば、特許文献１参照）。
【特許文献１】特開２０００−１１５９１号公報
【発明の開示】
【発明が解決しようとする課題】
【０００５】
ところで、そのコーナー部は、記録テープカートリッジを落下させたときなど、衝撃を受けた場合に最も集中応力を受けやすい箇所である。コーナー部に集中応力を受けると、そのコーナー部には、局所的な永久変形（潰れる、曲がる、欠けるなど）が起き、ドライブ装置への装填不能、記録テープの引出不能、開口を開閉するドアの開閉不能等の問題が起きる。
【０００６】
また、永久変形が起きなくても、一時的な撓み変形、即ち上ケースの周壁と下ケースの周壁が互いに離間するような弾性変形が起きることにより、リーダーテープ等のリーダー部材が、ケース内の保持位置から外れたり、上ケースの周壁と下ケースの周壁の間に挟まれたり、ドアが開いた場合には、ケース外へ飛び出したりすることがあった。
【０００７】
そこで、本発明は、このような問題点に鑑み、落下等によって衝撃が加えられても変形等のトラブルが発生し難い、耐衝撃性に優れた記録テープカートリッジを得ることを目的とする。
【課題を解決するための手段】
【０００８】
上記の目的を達成するために、本発明に係る請求項１に記載の記録テープカートリッジは、記録テープが巻装された単一のリールを回転可能に収容するケースと、前記ケースの前壁と側壁とに跨るコーナー部に形成され、前記記録テープの端部に取り付けられたリーダー部材を引き出すための開口と、前記前壁側に設けられた支軸を中心に回動して前記開口を開閉する平面視略「Ｌ」字状に屈曲されたドアと、を備え、前記ドアの屈曲部の前記回動方向における板厚を該ドアの板厚よりも厚く形成するとともに、該屈曲部よりも先端側に段部を形成し、前記ドアが前記開口を閉塞したときに当接する第１当接部と、前記開口を閉塞したドアが該開口の閉塞方向へ撓んだときに、該ドアの屈曲部の先端側端面と内面が当接する第２当接部と、を前記ケースに形成したことを特徴としている。
【０００９】
請求項１に記載の発明では、平面視略「Ｌ」字状に屈曲されたドアにおいて、その屈曲部の回動方向における板厚を、ドアの板厚よりも厚く形成したので、落下等によってケースのコーナー部（ドアの屈曲部）に衝撃が加えられても、その部分の永久変形や一時的な撓み変形を抑止することができる。
【００１０】
また、落下等によってドアに衝撃が加えられ、そのドアが開口の閉塞方向へ撓んだときに、ドアの屈曲部の先端側端面と内面が当接する第２当接部を、そのドアが開口を閉塞したときに当接する第１当接部とは別にケースに形成したので、その衝撃力を好適に受け止めることができる。したがって、ドアの破損（永久変形）等を抑止することができる。
【００１１】
また、請求項２に記載の記録テープカートリッジは、請求項１に記載の記録テープカートリッジにおいて、前記第１当接部に当接させる部位が、前記ドアの段部の先端側端面であり、該段部の先端側端面と前記屈曲部の先端側端面とを、平面視で外側が幅広となる略「ハ」字状に形成したことを特徴としている。
【００１２】
請求項２に記載の発明では、第１当接部に当接させる段部の先端側端面と、第２当接部に当接させる屈曲部の先端側端面とを、平面視で外側が幅広となる略「ハ」字状に形成している。つまり、その第１当接部と第２当接部も、平面視で外側が幅広となる略「ハ」字状に形成されている。
【００１３】
したがって、落下等によってドアに衝撃が加えられた場合には、まず第２当接部により、その衝撃力を好適に受け止めることができ、更に第１当接部により、ドアの先端部を外側へ撓ませて逃がすことができる。よって、ドアの破損（永久変形）等をより一層抑止することができる。
【発明の効果】
【００１４】
以上のように、本発明によれば、落下等によって衝撃が加えられても変形等のトラブルが発生し難い、耐衝撃性に優れた記録テープカートリッジを提供することができる。
【発明を実施するための最良の形態】
【００１５】
以下、本発明の実施の形態を図面に示す実施例を基に詳細に説明する。なお、説明の便宜上、記録テープカートリッジのドライブ装置への装填方向を矢印Ａで表し、それを前方向とする。また、矢印Ｂを左方向とし、それらを基準に前後・左右・上下の表現をする。
【００１６】
図１で示すように、記録テープカートリッジ１０は、略矩形箱状のケース１２を有している。このケース１２は、ＰＣ等の樹脂製の上ケース１４と下ケース１６とが、互いの周壁１４Ａ、１６Ａを当接させた状態で超音波溶着又はねじ止め等により接合されて構成されている。
【００１７】
また、図２、図３で示すように、ケース１２の内部には単一のリール１８が回転可能に収容されている。リール１８には、情報記録再生媒体としての磁気テープ等の記録テープＴが巻装されている。また、リール１８の下面にはリールギア（図示省略）が環状に形成されており、下ケース１６に穿設されたギア開口（図示省略）から露出するようになっている。
【００１８】
記録テープカートリッジ１０の左前方側のコーナー部１２Ｃ付近には、リール１８に巻装された記録テープＴを外部に引き出すための開口２０が形成されている。すなわち、コーナー部１２Ｃに隣接する前壁１２Ａと左側壁１２Ｂとに跨って開口２０が形成され、その開口２０から、記録テープＴの端部に固着され、左側壁１２Ｂに沿って配置されたリーダーテープ２２が引き出されるようになっている。
【００１９】
ここで、本発明におけるコーナー部とは、略矩形箱状ケース１２の周壁１４Ａ、１６Ａにおいて、平面視で略直角又は鈍角に交わる稜線部分を指す。したがって、この場合のコーナー部１２Ｃとは、前壁１２Ａと左側壁１２Ｂとが平面視で略直角に交わっている稜線部分を指している。なお、開口２０は、右前方側のコーナー部１２Ｄ付近に設けられる場合もある。
【００２０】
また、リーダーテープ２２は、ドライブ装置の引出部材（図示省略）が記録テープＴを引き出すために係合する被引出部材であり、その先端近傍には引出部材が係合する孔部２２Ａが穿設されている。そして、その孔部２２Ａの先端よりも若干後方側（リーダーテープ２２の先端近傍）の上下両サイドには、それぞれ上下方向に向かって張り出す張出部２２Ｂが形成されている。
【００２１】
この張出部２２Ｂが、上ケース１４の内面及び下ケース１６の内面にそれぞれ形成された収納凹部２４に収納（挿入）されることにより、リーダーテープ２２がケース１２内に保持されるようになっている。すなわち、この収納凹部２４は、図４、図５で示すように、左側壁１２Ｂに沿って形成され、前方側が開口２０に臨んで開放され、後方側が後壁２４Ａによって閉塞されている。したがって、リーダーテープ２２は、その張出部２２Ｂが後壁２４Ａによって位置規制された状態で、左側壁１２Ｂに沿って配置される。
【００２２】
また、図示するように、開口２０は、記録テープカートリッジ１０の不使用時にはドア３０によって閉塞される。このドア３０は、開口２０と略同じ形状及び大きさの平面視略「Ｌ」字状に屈曲形成されている。なお、このドア３０は、ＰＯＭ等のオレフィン系樹脂で成形されるのが好ましいが、ＰＣ等の樹脂やＳＵＳ等の金属で成形してもよい。
【００２３】
また、そのドア３０の回動支点となる支軸２６が、上ケース１４及び下ケース１６の前壁１２Ａ側にそれぞれ突設されている。この支軸２６は、上ケース１４側が円筒状のボス２６Ａになっており、下ケース１６側が円柱状のボス２６Ｂになっている。そして、下ケース１６側のボス２６Ｂの先端（上端）が、上ケース１４側のボス２６Ａに嵌入することにより、支軸２６が構成されるようになっている。したがって、ボス２６Ｂの径がボス２６Ａの径よりも若干小さくなっている。
【００２４】
また、ドア３０の内面の右端部近傍（右端部より所定距離左方へずれた位置）には、平板状の回転摺動部３２、３４、３６が３本平行に突設されている。この回転摺動部３２、３４、３６は、ドア３０の内面の上下両端部と、中央より若干下方へずれた中途部とからそれぞれ突設され、各回転摺動部３２、３４、３６には、支軸２６に遊嵌される貫通孔３２Ａ、３４Ａ、３６Ａが穿設されている（図４、図５参照）。したがって、各貫通孔３２Ａ、３４Ａ、３６Ａに支軸２６が挿通されることにより、ドア３０が回動可能に支持される。
【００２５】
また、上端部の回転摺動部３２の上面と、下端部の回転摺動部３４の下面には、それぞれ貫通孔３２Ａ、３４Ａ周りに環状凸部３８が形成されている。そして、この環状凸部３８が、それぞれ上ケース１４と下ケース１６に接触することにより、ドア３０の上端面３０Ａと上ケース１４との間、及びドア３０の下端面３０Ｂと下ケース１６との間に、それぞれ０．３ｍｍ〜０．５ｍｍ程度の隙間Ｗが形成されるようにしている（図２参照）。なお、図３乃至図５で示すように、回転摺動部３２、３４、３６間のドア３０の内面には、支軸２６の周面に沿った平断面視円弧状の隆起部４０が形成されている。
【００２６】
また、支軸２６には、ドア３０を常時開口２０の閉塞方向へ付勢するトーションばね２８の巻回部２８Ａが挿嵌されている。すなわち、このトーションばね２８の巻回部２８Ａは、下端部の回転摺動部３４と中途部の回転摺動部３６の間に保持された状態で、径が細い方のボス２６Ｂに挿嵌されて取り付けられている。そして、トーションばね２８の一方の端部２８Ｂ側は、ケース１２のビスボス６０（下ケース１６に突設されたビスボス）に係止され、他方の端部２８Ｃ側は、回転摺動部３４、３６間における隆起部４０の右側の縁端部に係止されている。
【００２７】
また、図５で示すように、ドア３０の屈曲された部分（ケース１２のコーナー部１２Ｃとされる部分であり、以下「屈曲部」という）４４の内面には、開口２０を閉塞したときに、リーダーテープ２２の先端部分（孔部２２Ａよりも先方）が入り込む袋状の許容部４６が形成されている。この許容部４６は、図５で示す平面視で、左側の内面が若干右方向へ傾倒した（角度θ傾斜した）テーパー面となるように厚肉に形成されたガイド部４６Ａを有している。そして、その許容部４６の最も奥にある内面（以下「最奥面」という）４６Ｂが、平面視円弧状をなす円弧面とされている。
【００２８】
したがって、開口２０の閉塞時、リーダーテープ２２の先端部分は、その左側面がガイド部４６Ａに当接することにより、左側壁１２Ｂから遠ざかる方向（離間する方向）へ若干変位させられる（撓まされる）が、このようなガイド部４６Ａとすれば、許容部４６の深さを比較的浅く形成することが可能となる。
【００２９】
つまり、許容部４６における左側の内面が、左側壁１２Ｂと平行な面、即ち前壁１２Ａに対して垂直な面になっているものと比較した場合、それよりも浅く形成することが可能となるので、その許容部４６を形成したことによって最も薄肉となる最奥面４６Ｂ部分の板厚Ｄ３、即ちドア３０の最薄肉部の板厚Ｄ３を０．６ｍｍ以上、この場合は０．６ｍｍ〜０．９ｍｍ、好ましくは０．６ｍｍ〜１．５ｍｍ、更に好ましくは０．６ｍｍ〜２．０ｍｍ程度まで確保することが可能となる。
【００３０】
また、開口２０の閉塞時、リーダーテープ２２の先端面２２Ｃは、許容部４６の最奥面４６Ｂに常に接触しないように構成されている。つまり、図５で示すように、リーダーテープ２２の先端面２２Ｃと、許容部４６の最奥面４６Ｂとの間には、所定のクリアランスＣ３が常時確保されるようになっている。このクリアランスＣ３は、０．５ｍｍ以上とされており、落下等によってドア３０に衝撃が加えられても、その最奥面４６Ｂが、リーダーテープ２２の先端面２２Ｃに干渉（接触）することがないようにされている。
【００３１】
すなわち、ドア３０はケース１２に対して０．２ｍｍ程度のがたつき（回動方向の遊び）をもって開口２０を閉塞しているため、落下等によりドア３０に衝撃が加わった場合等には、そのドア３０は、０．２ｍｍ程度、更に開口２０の閉塞方向へ回動することがある。したがって、このような場合でも、リーダーテープ２２の先端面２２Ｃに、ドア３０の最奥面４６Ｂが干渉（接触）することがないように、両者のクリアランスＣ３が０．５ｍｍ以上とされている。
【００３２】
一方、上ケース１４及び下ケース１６の開口２０近傍の内面には、前壁１２Ａと平行に、かつ後述するリブ６４の先端からビスボス６０にかけて、所定高さのリブ６２が突設されている。そして、図３で示すように、ドア３０の屈曲部４４よりも右側（前壁１２Ａ側）の内面の上下端部には、所定高さの突起４８が突設されている。したがって、ドア３０が開口２０を閉塞した際、そのドア３０の内面に突設された突起４８が、リブ６２の外面６２Ａに当接するようになっており、このリブ６２の外面６２Ａが、本発明における第１当接部に相当している。
【００３３】
また、ドア３０の左側壁１２Ｂ側の先端部５４は、ドア３０の前壁１２Ａ側の板幅よりも幅狭とされた側面視略台形状に形成され、その先端部５４と屈曲部４４との間の上下端面には、屈曲部４４の板幅よりも幅狭で、かつ先端部５４よりも幅広となるような段部５２が形成されている。したがって、開口２０が形成されている左側壁１２Ｂにも、その段部５２に対応した（合致する）形状の段部５６が形成されている。
【００３４】
また、この屈曲部４４の先端側端面４４Ａと、段部５２の先端側端面５２Ａは、図４、図５で示すように、平面視で外方側が幅広となる略「ハ」字状に形成されている。このため、ケース１２側の段部５６、５８においても、対応する端面５６Ａ、５８Ａが平面視で外方側が幅広となる略「ハ」字状に形成されている。そして、この段部５６の端面５６Ａが、本発明における第１当接部に相当し、段部５８の端面５８Ａが本発明における第２当接部に相当している。
【００３５】
つまり、ドア３０が開口２０を閉塞したとき、段部５２の端面５２Ａは、段部５６の端面５６Ａに当接するが、屈曲部４４の端面４４Ａは、段部５８の端面５８Ａには当接しないようになっている。換言すれば、ドア３０が開口２０を閉塞したとき、段部５２の端面５２Ａと段部５６の端面５６Ａとの間にはクリアランスが無いが、屈曲部４４の端面４４Ａと段部５８の端面５８Ａとの間には、図５で示すように、所定のクリアランスＣ１が確保されるようになっている。
【００３６】
また、この屈曲部４４の上下端部は、平面視で、その内面４４Ｂが、ドア３０の前壁１２Ａ側内面及び左側壁１２Ｂ側内面に対して所定角度の傾斜面となるように形成され、そのドア３０の回動方向の板厚Ｄ１が、ドア３０の前壁１２Ａ側の板厚Ｄ２よりも厚くなるように形成されている（図４参照）。このように、屈曲部４４の上下端部を厚く形成することで、許容部４６を形成したことによって最薄肉部とされた屈曲部４４が補強されるようにしている。
【００３７】
また、屈曲部４４の上下端部における内面４４Ｂは、開口２０の閉塞時、収納凹部２４の右側に突設された所定高さのリブ６４の外面６４Ａに、所定のクリアランスＣ２が確保された状態で対面するようになっている（図５参照）。つまり、このリブ６４は、屈曲部４４の内面４４Ｂに対応して、その先端部分が右方へ所定角度屈曲されており、その所定角度屈曲された先端部分の外面６４Ａが、本発明における第２当接部に相当している。したがって、ドア３０が開口２０を閉塞したときには、屈曲部４４の内面４４Ｂが、リブ６４の外面６４Ａに当接することはない。
【００３８】
すなわち、上記した第２当接部（端面５８Ａ及び外面６４Ａ）は、落下等により、ケース１２（上ケース１４及び下ケース１６）のコーナー部１２Ｃ付近（開口２０を閉塞したドア３０も含む）に衝撃が加えられ、ドア３０が開口２０の閉塞方向へ撓んだときにのみ、そのドア３０の屈曲部４４の端面４４Ａ及び内面４４Ｂが当接する（クリアランスＣ１、Ｃ２がゼロになる）部位であり、これによって、その衝撃力が受け止められるようになっている。
【００３９】
そこで、次に、記録テープカートリッジ１０の作用について説明をする。この記録テープカートリッジ１０は、不使用時（ドライブ装置に装填しないとき）には、ドア３０が開口２０を閉塞している。そして、このとき、そのドア３０は第１当接部に当接している。すなわち、ドア３０の突起４８が、リブ６２の外面６２Ａに当接し、段部５２の端面５２Ａが、ケース１２の段部５６の端面５６Ａに当接している。
【００４０】
また、このとき、リーダーテープ２２は、その張出部２２Ｂが収納凹部２４内に収納（挿入）されて保持され、左側壁１２Ｂに沿って配置されている。そして、リーダーテープ２２の先端部分（孔部２２Ａよりも先方）が、許容部４６内に入り込み、ガイド部４６Ａによって、左側壁１２Ｂから遠ざかる（離間される）方向へ若干変位させられている（撓まされている）。
【００４１】
つまり、このガイド部４６Ａは、図５で示す平面視で、リーダーテープ２２の先端部分を左側壁１２Ｂから遠ざける方向へ厚肉に形成され（許容部４６の左側の内面が若干右方向へ傾倒した（角度θ傾斜した）テーパー面に形成され）、許容部４６の深さが比較的浅くなるように形成されている。したがって、その許容部４６の最奥面４６Ｂにおけるドア３０の最薄肉部の板厚Ｄ３を０．６ｍｍ以上、この場合は０．６ｍｍ〜０．９ｍｍ、好ましくは０．６ｍｍ〜１．５ｍｍ、更に好ましくは０．６ｍｍ〜２．０ｍｍ程度まで確保することが可能となっている。したがって、ドア３０の剛性は充分に確保される。
【００４２】
また、このとき、そのガイド部４６Ａによって変位させられた（撓まされた）リーダーテープ２２の先端面２２Ｃと、許容部４６の最奥面４６Ｂとの間には、所定のクリアランスＣ３が確保されている。具体的には、クリアランスＣ３＝０．５ｍｍ以上とされている。したがって、落下等による衝撃がドア３０に加わっても、リーダーテープ２２の先端面２２Ｃがドア３０の最奥面４６Ｂに干渉（接触）することはない。
【００４３】
つまり、ドア３０のケース１２に対するがたつき（回動方向の遊び）は０．２ｍｍ程度なので、衝撃によりドア３０が更に開口２０の閉塞方向へ回動しても、その最奥面４６Ｂは０．２ｍｍ程度までしかリーダーテープ２２の先端面２２Ｃに接近しない。したがって、ドア３０の最奥面４６Ｂとの間に０．５ｍｍ以上のクリアランスＣ３が確保されているリーダーテープ２２の先端面２２Ｃが、その最奥面４６Ｂに干渉（接触）することはなく、リーダーテープ２２がドア３０と収納凹部２４との間で挟まれて変形してしまうような不具合は起きない。
【００４４】
ここで、ケース１２のコーナー部１２Ｃ付近、特にそのコーナー部１２Ｃを跨ぐように設けられて開口２０を閉塞しているドア３０に、落下等によって衝撃を受けると、そのドア３０は若干撓んで第２当接部に当接する。すなわち、ドア３０の屈曲部４４の端面４４Ａが段部５８の端面５８Ａに当接し、その屈曲部４４の上下端部における内面４４Ｂがリブ６４の外面６４Ａに当接する。
【００４５】
この屈曲部４４の上下端部は、上記したように、ドア３０の回動方向が厚肉とされて強度が確保されている（剛性が高い）ので、その衝撃力は第２当接部によって好適に受け止められる。しかも、このとき、屈曲部４４の端面４４Ａと、段部５２の端面５２Ａは、平面視で外方側が幅広となる略「ハ」字状に形成されているので、ドア３０の先端部５４は、段部５２の端面５２Ａが段部５６の端面５６Ａ上を摺動することにより外方側へ撓んで逃げる。よって、ドア３０の破損（永久変形）等を抑止することができる。
【００４６】
また、落下等による衝撃がケース１２のコーナー部１２Ｃ付近に加えられた場合、その衝撃力は、ビスボス６０でも受け止められる。つまり、ビスボス６０が支軸２６とは独立して設けられ、かつ、その支軸２６の近傍に配置されているので、落下等によって生じる衝撃力は、ビスボス６０で受け止められ、支軸２６には直接伝達されないようにできる。したがって、支軸２６の破損（永久変形）等も抑止することができる。
【００４７】
さて、記録テープカートリッジ１０の記録テープＴにデータを記録、又は記録テープカートリッジ１０の記録テープＴに記録されたデータを再生する際には、その記録テープカートリッジ１０をドライブ装置（図示省略）へ装填する。すなわち、ドライブ装置の装填口（図示省略）に記録テープカートリッジ１０を前壁１２Ａ側から挿入する。
【００４８】
すると、その装填に伴って、ドライブ装置の開閉部材（図示省略）が相対的にドア３０の右端部へ接近、当接して、その右端部を押圧する。開閉部材がドア３０の右端部を押圧すると、ドア３０は、トーションばね２８の付勢力に抗して支軸２６を中心に図４で示す矢印方向（時計方向）へ回動し、開口２０を開放する。
【００４９】
なお、このとき、ドア３０の上端面３０Ａと上ケース１４の間、及びドア３０の下端面３０Ｂと下ケース１６との間には、それぞれ環状凸部３８によって０．３ｍｍ〜０．５ｍｍ程度の隙間Ｗが形成されている。つまり、ドア３０において、上ケース１４及び下ケース１６と接触しているのは、環状凸部３８だけとなっている。したがって、ドア３０は摺動抵抗少なく回動できる。
【００５０】
また、そのドア３０において、少なくとも回転摺動部３２、３４、３６及び環状凸部３８は、ＰＯＭ等のオレフィン系樹脂で成形することが望ましい。これによれば、ＰＣ等の樹脂で成形されている上ケース１４及び下ケース１６に対する摺動抵抗を更に低減することができるとともに、支軸２６に対する摺動抵抗も低減することができる。
【００５１】
また、トーションばね２８の巻回部２８Ａは、回転摺動部３４、３６の間に配置されているので、その回転摺動部３４、３６がＰＯＭ等のオレフィン系樹脂で成形されていると、ＰＣ等の樹脂で成形されるケース１２よりも削られ難くなる。つまり、トーションばね２８の巻回部２８Ａが、ドア３０の回動によって摺動しても、摩耗粉等が発生し難くなる。したがって、記録テープＴに対して悪影響を与えることがなくなる。
【００５２】
何れにしても、このようなドア３０が回動して開口２０が開放されると、リーダーテープ２２の先端部分（左側面）は、ガイド部４６Ａから離間する。すると、その先端部分は、リーダーテープ２２自体が有する弾性により、元の真っ直ぐな状態に復元する。そして、ドライブ装置の引出部材（図示省略）が左側壁１２Ｂ側から開口２０に接近し、リーダーテープ２２の孔部２２Ａと係合する。
【００５３】
このとき、リーダーテープ２２の孔部２２Ａを含む後方側は、左側壁１２Ｂに極めて接近した状態で待機しているので、その引出部材は確実に孔部２２Ａに係合できる。つまり、ガイド部４６Ａによって変位させられる（撓まされる）リーダーテープ２２の先端部分は、孔部２２Ａよりも先方側なので、孔部２２Ａに対する引出部材の係合不良等は起きない。
【００５４】
こうして、引出部材が孔部２２Ａに係合したら、その引出部材が開口２０から離間することにより、リーダーテープ２２がケース１２内から引き出される。そして、ケース１２内から引き出されたリーダーテープ２２は、ドライブ装置の巻取リール（図示省略）に巻回される。
【００５５】
一方、記録テープカートリッジ１０のリール１８のリールギア（図示省略）には、ドライブ装置の駆動ギア（図示省略）がギア開口（図示省略）から進入して噛合している。したがって、その巻取リールとリール１８が同期して回転することにより、記録テープＴが順次ドライブ装置側へ送り出され、そのドライブ装置の記録再生ヘッド（図示省略）によって、記録テープＴにデータの記録、又は記録テープＴに記録されたデータの再生が行われる。
【００５６】
その後、記録テープカートリッジ１０をドライブ装置から取り出すときには、まず、リール１８が巻き戻されてリーダーテープ２２が巻取リールから外され、開口２０からケース１２内に戻される。そして、その張出部２２Ｂが収納凹部２４内に収納（挿入）されて、ケース１２内の所定位置に保持される。また、リールギアと駆動ギアとの噛合が解除された後、記録テープカートリッジ１０が装填口から排出されるが、この排出動作に伴って、開閉部材がドア３０の右端部から離間する。
【００５７】
すると、ドア３０はトーションばね２８の付勢力によって、支軸２６を中心に図４で示す矢印とは反対の方向（反時計方向）へ回動して、開口２０を閉塞する。そして、許容部４６内にリーダーテープ２２の先端部分が入り込み、ドア３０の突起４８がリブ６２の外面６２Ａに当接し、段部５２の端面５２Ａが段部５６の端面５６Ａに当接する。こうして、開口２０がドア３０によって閉塞された後、記録テープカートリッジ１０はドライブ装置から排出される。
【００５８】
以上、何れにしても、ドア３０及び開口２０付近のケース１２の構成を上記のような構成としたので、開口２０が形成され、ドア３０が設けられているコーナー部１２Ｃ付近に、落下等によって衝撃を受けても、その部分におけるケース１２やドア３０に変形等のトラブルを発生し難くできる。つまり、これにより、耐衝撃性に優れた記録テープカートリッジ１０を得ることができる。
【図面の簡単な説明】
【００５９】
【図１】記録テープカートリッジの概略斜視図
【図２】同上の開口閉塞時における開口付近の概略斜視図
【図３】同上の開口開放時における開口付近の概略斜視図
【図４】同上の開口開放時における開口付近の概略平面図
【図５】同上の開口閉塞時における開口付近の概略平面図
【符号の説明】
【００６０】
１０  記録テープカートリッジ
１２  ケース
１２Ａ  前壁
１２Ｂ  左側壁
１２Ｃ  コーナー部
１８  リール
２０  開口
２２  リーダーテープ（リーダー部材）
２４  収納凹部
２６  支軸
３０  ドア
３２〜３６  回転摺動部
３８  環状凸部
４０  隆起部
４４  屈曲部
４４Ａ  端面
４８  突起
５２  段部
５２Ａ  端面
５４  先端部
５６  段部
５６Ａ  端面（第１当接部）
５８  段部
５８Ａ  端面（第２当接部）
６２  リブ
６２Ａ  外面（第１当接部）
６４  リブ
６４Ａ  外面（第２当接部）
【図１】
2005235370.tif 000003
【図２】
2005235370.tif 000004
【図３】
2005235370.tif 000005
【図４】
2005235370.tif 000006
【図５】
2005235370.tif 000007